【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
錠剤を分包する分包手段に錠剤を供給する分包システムであって、
錠剤供給部から錠剤を取り出して前記分包手段に供給する錠剤取出し動作を行うことを示す取出動作情報が設定された包装データを記憶する記憶手段と、
前記記憶手段に記憶された包装データに前記錠剤動作情報が設定されている場合に、前記錠剤供給部から錠剤を取り出して前記分包手段に供給する錠剤取出し手段と、
前記記憶手段に記憶された包装データに、錠剤マスに手撒きされた錠剤を前記分包手段に供給する供給動作を行うことを示す手撒き供給動作情報が設定されている場合に、前記錠剤マスに手撒きされた錠剤を前記分包手段に供給する手撒供給手段と、
前記錠剤取出し手段による錠剤取出し動作を、前記手撒供給手段による供給動作に切り替える指示を受付ける受付手段と、
前記受付手段で当該指示を受付けたことを条件に、前記記憶手段に記憶された包装データに設定されている前記錠剤動作情報を手撒き供給動作情報として設定した包装データを生成する生成手段と、
を備えることを特徴とする分包システム。
【請求項２】
前記生成手段は、前記記憶手段に記憶された包装データに従って、前記記憶手段に記憶された包装データに設定されている前記錠剤動作情報を手撒き供給動作情報として設定した包装データを生成することを特徴とする請求項１に記載の分包システム。
【請求項３】
前記錠剤取出し手段による錠剤取出し動作を、前記手撒供給手段による供給動作に切り替える指示を受付ける受付画面を表示する表示手段を更に備え、
前記受付手段は、前記表示手段により表示された受付画面を介してユーザ操作により当該指示を受付けることを特徴とする請求項１又は２に記載の分包システム。
【請求項４】
前記記憶手段に記憶された包装データは、前記錠剤取出し手段による未取り出しの錠剤数を含み、
前記生成手段は、前記未取り出しの錠剤に関して、前記記憶手段に記憶された包装データに設定されている前記錠剤動作情報を、手撒き供給動作情報として設定した包装データを生成することを特徴とする請求項１乃至３の何れか１項に記載の分包システム。
【請求項５】
複数の錠剤取出し手段の中から錠剤取出し手段の選択を受け付ける選択受付手段を備え、
前記生成手段は、前記選択受付手段で選択を受け付けた錠剤取出し手段による錠剤取出し動作を行うことを示す錠剤動作情報を手撒き供給動作情報として設定した包装データを生成することを特徴とする請求項１乃至４の何れか１項に記載の分包システム。
【請求項６】
前記錠剤取出し手段による錠剤取出し動作の停止指示を受け付ける停止受付手段を更に備え、
前記生成手段は、前記停止受付手段により錠剤取出し動作の停止指示を受け付け、前記受付手段により、前記錠剤取出し手段による錠剤取出し動作を、前記手撒供給手段による供給動作に切り替える指示を受付けたことを条件に、前記記憶手段に記憶された包装データに設定されている前記錠剤動作情報を手撒き供給動作情報として設定した包装データを生成することを特徴とする請求項１乃至５の何れか１項に記載の分包システム。
【請求項７】
前記記憶手段に記憶された包装データは、前記錠剤取出し手段による錠剤取出し動作により前記錠剤供給部から錠剤を取り出す錠剤数を含み、
前記受付手段は、前記記憶手段に記憶された包装データに含まれる錠剤数が前記錠剤取出し手段により取り出されていない状態で、前記錠剤取出し手段による錠剤取出し動作を、前記手撒供給手段による供給動作に切り替える指示を受付けることを特徴とする請求項１乃至６の何れか１項に記載の分包システム。
【請求項８】
前記錠剤供給部は、錠剤が収容された錠剤シートを含み、
前記錠剤取出し手段は、前記錠剤シートから錠剤を取り出すことを特徴とする請求項１乃至７の何れか１項に記載の分包システム。
【請求項９】
前記錠剤供給部は、錠剤を収容するカセットを含み、
前記錠剤取出し手段は、前記カセットから錠剤を取り出すことを特徴とする請求項１乃至８の何れか１項に記載の分包システム。
【請求項１０】
錠剤を分包する分包手段に錠剤を供給する錠剤供給装置であって、
錠剤供給部から錠剤を取り出して前記分包手段に供給する錠剤取出し動作を行うことを示す取出動作情報が設定された包装データを記憶する記憶手段と、
前記記憶手段に記憶された包装データに前記錠剤動作情報が設定されている場合に、前記錠剤供給部から錠剤を取り出して前記分包手段に供給する錠剤取出し手段と、
前記記憶手段に記憶された包装データに、錠剤マスに手撒きされた錠剤を前記分包手段に供給する供給動作を行うことを示す手撒き供給動作情報が設定されている場合に、前記錠剤マスに手撒きされた錠剤を前記分包手段に供給する手撒供給手段と、
前記錠剤取出し手段による錠剤取出し動作を、前記手撒供給手段による供給動作に切り替える指示を受付ける受付手段と、
前記受付手段で当該指示を受付けたことを条件に、前記記憶手段に記憶された包装データに設定されている前記錠剤動作情報を手撒き供給動作情報として設定した包装データを生成する生成手段と、
を備えることを特徴とする錠剤供給装置。
【請求項１１】
錠剤供給部から錠剤を取り出して分包手段に供給する錠剤取出し動作を行うことを示す取出動作情報が設定された包装データを記憶する記憶手段を備え、錠剤を分包手段に供給する分包システムの制御方法であって、
錠剤取出し手段が、前記記憶手段に記憶された包装データに前記錠剤動作情報が設定されている場合に、前記錠剤供給部から錠剤を取り出して前記分包手段に供給する錠剤取出し工程と、
手撒供給手段が、前記記憶手段に記憶された包装データに、錠剤マスに手撒きされた錠剤を前記分包手段に供給する供給動作を行うことを示す手撒き供給動作情報が設定されている場合に、前記錠剤マスに手撒きされた錠剤を前記分包手段に供給する手撒供給工程と、
受付手段が、前記錠剤取出し工程の錠剤取出し動作を、前記手撒供給工程の供給動作に切り替える指示を受付ける受付工程と、
生成手段が、前記受付工程で当該指示を受付けたことを条件に、前記記憶手段に記憶された包装データに設定されている前記錠剤動作情報を手撒き供給動作情報として設定した包装データを生成する生成工程と、
を備えることを特徴とする制御方法。
【請求項１２】
錠剤供給部から錠剤を取り出して分包手段に供給する錠剤取出し動作を行うことを示す取出動作情報が設定された包装データを記憶する記憶手段を備え、錠剤を分包手段に供給する分包システムで読み取り実行可能なプログラムであって、
前記分包システムを、
前記記憶手段に記憶された包装データに前記錠剤動作情報が設定されている場合に、前記錠剤供給部から錠剤を取り出して前記分包手段に供給する錠剤取出し手段と、
前記記憶手段に記憶された包装データに、錠剤マスに手撒きされた錠剤を前記分包手段に供給する供給動作を行うことを示す手撒き供給動作情報が設定されている場合に、前記錠剤マスに手撒きされた錠剤を前記分包手段に供給する手撒供給手段と、
前記錠剤取出し手段による錠剤取出し動作を、前記手撒供給手段による供給動作に切り替える指示を受付ける受付手段と、
前記受付手段で当該指示を受付けたことを条件に、前記記憶手段に記憶された包装データに設定されている前記錠剤動作情報を手撒き供給動作情報として設定した包装データを生成する生成手段として機能させるプログラム。
【請求項１３】
錠剤供給部から錠剤を取り出して分包手段に供給する錠剤取出し動作を行うことを示す取出動作情報が設定された包装データを記憶する記憶手段を備え、錠剤を分包手段に供給する錠剤供給装置の制御方法であって、
錠剤取出し手段が、前記記憶手段に記憶された包装データに前記錠剤動作情報が設定されている場合に、前記錠剤供給部から錠剤を取り出して前記分包手段に供給する錠剤取出し工程と、
手撒供給手段が、前記記憶手段に記憶された包装データに、錠剤マスに手撒きされた錠剤を前記分包手段に供給する供給動作を行うことを示す手撒き供給動作情報が設定されている場合に、前記錠剤マスに手撒きされた錠剤を前記分包手段に供給する手撒供給工程と、
受付手段が、前記錠剤取出し工程の錠剤取出し動作を、前記手撒供給工程の供給動作に切り替える指示を受付ける受付工程と、
生成手段が、前記受付工程で当該指示を受付けたことを条件に、前記記憶手段に記憶された包装データに設定されている前記錠剤動作情報を手撒き供給動作情報として設定した包装データを生成する生成工程と、
を備えることを特徴とする制御方法。
【請求項１４】
錠剤供給部から錠剤を取り出して分包手段に供給する錠剤取出し動作を行うことを示す取出動作情報が設定された包装データを記憶する記憶手段を備え、錠剤を分包手段に供給する錠剤供給装置で読み取り実行可能なプログラムであって、
前記錠剤供給装置を、
前記記憶手段に記憶された包装データに前記錠剤動作情報が設定されている場合に、前記錠剤供給部から錠剤を取り出して前記分包手段に供給する錠剤取出し手段と、
前記記憶手段に記憶された包装データに、錠剤マスに手撒きされた錠剤を前記分包手段に供給する供給動作を行うことを示す手撒き供給動作情報が設定されている場合に、前記錠剤マスに手撒きされた錠剤を前記分包手段に供給する手撒供給手段と、
前記錠剤取出し手段による錠剤取出し動作を、前記手撒供給手段による供給動作に切り替える指示を受付ける受付手段と、
前記受付手段で当該指示を受付けたことを条件に、前記記憶手段に記憶された包装データに設定されている前記錠剤動作情報を手撒き供給動作情報として設定した包装データを生成する生成手段として機能させるプログラム。
【手続補正２】
【補正対象書類名】明細書
【補正対象項目名】００１７
【補正方法】変更
【補正の内容】
【００１７】
本発明の目的は、錠剤供給部からの錠剤取出し動作を、錠剤マスに手撒きされた錠剤を供給する供給動作に切り替える指示を受付けたことを条件に、錠剤供給部からの錠剤取出し動作から、錠剤マスに手撒きされた錠剤を供給する供給動作に切り替えるための包装データを生成することで、分包動作を容易に継続させるための仕組みを提供することである。
【手続補正３】
【補正対象書類名】明細書
【補正対象項目名】００１８
【補正方法】変更
【補正の内容】
【００１８】
本発明は、錠剤を分包する分包手段に錠剤を供給する分包システムであって、錠剤供給部から錠剤を取り出して前記分包手段に供給する錠剤取出し動作を行うことを示す取出動作情報が設定された包装データを記憶する記憶手段と、前記記憶手段に記憶された包装データに前記錠剤動作情報が設定されている場合に、前記錠剤供給部から錠剤を取り出して前記分包手段に供給する錠剤取出し手段と、前記記憶手段に記憶された包装データに、錠剤マスに手撒きされた錠剤を前記分包手段に供給する供給動作を行うことを示す手撒き供給動作情報が設定されている場合に、前記錠剤マスに手撒きされた錠剤を前記分包手段に供給する手撒供給手段と、前記錠剤取出し手段による錠剤取出し動作を、前記手撒供給手段による供給動作に切り替える指示を受付ける受付手段と、前記受付手段で当該指示を受付けたことを条件に、前記記憶手段に記憶された包装データに設定されている前記錠剤動作情報を手撒き供給動作情報として設定した包装データを生成する生成手段と、を備えることを特徴とする。
【手続補正４】
【補正対象書類名】明細書
【補正対象項目名】００１９
【補正方法】変更
【補正の内容】
【００１９】
また、本発明は、錠剤を分包する分包手段に錠剤を供給する錠剤供給装置であって、錠剤供給部から錠剤を取り出して前記分包手段に供給する錠剤取出し動作を行うことを示す取出動作情報が設定された包装データを記憶する記憶手段と、前記記憶手段に記憶された包装データに前記錠剤動作情報が設定されている場合に、前記錠剤供給部から錠剤を取り出して前記分包手段に供給する錠剤取出し手段と、前記記憶手段に記憶された包装データに、錠剤マスに手撒きされた錠剤を前記分包手段に供給する供給動作を行うことを示す手撒き供給動作情報が設定されている場合に、前記錠剤マスに手撒きされた錠剤を前記分包手段に供給する手撒供給手段と、前記錠剤取出し手段による錠剤取出し動作を、前記手撒供給手段による供給動作に切り替える指示を受付ける受付手段と、前記受付手段で当該指示を受付けたことを条件に、前記記憶手段に記憶された包装データに設定されている前記錠剤動作情報を手撒き供給動作情報として設定した包装データを生成する生成手段と、を備えることを特徴とする。
【手続補正５】
【補正対象書類名】明細書
【補正対象項目名】００２０
【補正方法】変更
【補正の内容】
【００２０】
また、本発明は、錠剤供給部から錠剤を取り出して分包手段に供給する錠剤取出し動作を行うことを示す取出動作情報が設定された包装データを記憶する記憶手段を備え、錠剤を分包手段に供給する分包システムの制御方法であって、錠剤取出し手段が、前記記憶手段に記憶された包装データに前記錠剤動作情報が設定されている場合に、前記錠剤供給部から錠剤を取り出して前記分包手段に供給する錠剤取出し工程と、手撒供給手段が、前記記憶手段に記憶された包装データに、錠剤マスに手撒きされた錠剤を前記分包手段に供給する供給動作を行うことを示す手撒き供給動作情報が設定されている場合に、前記錠剤マスに手撒きされた錠剤を前記分包手段に供給する手撒供給工程と、受付手段が、前記錠剤取出し工程の錠剤取出し動作を、前記手撒供給工程の供給動作に切り替える指示を受付ける受付工程と、生成手段が、前記受付工程で当該指示を受付けたことを条件に、前記記憶手段に記憶された包装データに設定されている前記錠剤動作情報を手撒き供給動作情報として設定した包装データを生成する生成工程と、を備えることを特徴とする。
【手続補正６】
【補正対象書類名】明細書
【補正対象項目名】００２１
【補正方法】変更
【補正の内容】
【００２１】
また、本発明は、錠剤供給部から錠剤を取り出して分包手段に供給する錠剤取出し動作を行うことを示す取出動作情報が設定された包装データを記憶する記憶手段を備え、錠剤を分包手段に供給する分包システムで読み取り実行可能なプログラムであって、前記分包システムを、前記記憶手段に記憶された包装データに前記錠剤動作情報が設定されている場合に、前記錠剤供給部から錠剤を取り出して前記分包手段に供給する錠剤取出し手段と、前記記憶手段に記憶された包装データに、錠剤マスに手撒きされた錠剤を前記分包手段に供給する供給動作を行うことを示す手撒き供給動作情報が設定されている場合に、前記錠剤マスに手撒きされた錠剤を前記分包手段に供給する手撒供給手段と、前記錠剤取出し手段による錠剤取出し動作を、前記手撒供給手段による供給動作に切り替える指示を受付ける受付手段と、前記受付手段で当該指示を受付けたことを条件に、前記記憶手段に記憶された包装データに設定されている前記錠剤動作情報を手撒き供給動作情報として設定した包装データを生成する生成手段として機能させる。
【手続補正７】
【補正対象書類名】明細書
【補正対象項目名】００２２
【補正方法】変更
【補正の内容】
【００２２】
また、本発明は、錠剤供給部から錠剤を取り出して分包手段に供給する錠剤取出し動作を行うことを示す取出動作情報が設定された包装データを記憶する記憶手段を備え、錠剤を分包手段に供給する錠剤供給装置の制御方法であって、錠剤取出し手段が、前記記憶手段に記憶された包装データに前記錠剤動作情報が設定されている場合に、前記錠剤供給部から錠剤を取り出して前記分包手段に供給する錠剤取出し工程と、手撒供給手段が、前記記憶手段に記憶された包装データに、錠剤マスに手撒きされた錠剤を前記分包手段に供給する供給動作を行うことを示す手撒き供給動作情報が設定されている場合に、前記錠剤マスに手撒きされた錠剤を前記分包手段に供給する手撒供給工程と、受付手段が、前記錠剤取出し工程の錠剤取出し動作を、前記手撒供給工程の供給動作に切り替える指示を受付ける受付工程と、生成手段が、前記受付工程で当該指示を受付けたことを条件に、前記記憶手段に記憶された包装データに設定されている前記錠剤動作情報を手撒き供給動作情報として設定した包装データを生成する生成工程と、を備えることを特徴とする。
【手続補正８】
【補正対象書類名】明細書
【補正対象項目名】００２３
【補正方法】変更
【補正の内容】
【００２３】
また、本発明は、錠剤供給部から錠剤を取り出して分包手段に供給する錠剤取出し動作を行うことを示す取出動作情報が設定された包装データを記憶する記憶手段を備え、錠剤を分包手段に供給する錠剤供給装置で読み取り実行可能なプログラムであって、前記錠剤供給装置を、前記記憶手段に記憶された包装データに前記錠剤動作情報が設定されている場合に、前記錠剤供給部から錠剤を取り出して前記分包手段に供給する錠剤取出し手段と、前記記憶手段に記憶された包装データに、錠剤マスに手撒きされた錠剤を前記分包手段に供給する供給動作を行うことを示す手撒き供給動作情報が設定されている場合に、前記錠剤マスに手撒きされた錠剤を前記分包手段に供給する手撒供給手段と、前記錠剤取出し手段による錠剤取出し動作を、前記手撒供給手段による供給動作に切り替える指示を受付ける受付手段と、前記受付手段で当該指示を受付けたことを条件に、前記記憶手段に記憶された包装データに設定されている前記錠剤動作情報を手撒き供給動作情報として設定した包装データを生成する生成手段として機能させる。
【手続補正９】
【補正対象書類名】明細書
【補正対象項目名】００２４
【補正方法】変更
【補正の内容】
【００２４】
本発明によれば、錠剤供給部からの錠剤取出し動作を、錠剤マスに手撒きされた錠剤を供給する供給動作に切り替える指示を受付けたことを条件に、錠剤供給部からの錠剤取出し動作から、錠剤マスに手撒きされた錠剤を供給する供給動作に切り替えるための包装データを生成することで、分包動作を容易に継続させることができる。